(57)【要約】［課題］　栽培床の左右床枠上を回転する車輪２４と、弾性板４３を備えた外側ガイド板４２を着脱自在に設けることにより、床枠上から落輪することなく走行移動可能にし、耕耘刃４０の位置を左右いずれか一方向に移動させることにより栽培用土壌３１に耕耘残しの無くすることを可能とする。［解決手段］　左右側枠１、２と前後側枠３とで平視方形状のフレームを形成している。フレームの内側には前後に泥除け１１を有するカバー本体１０を設けている。カバー本体１０上には原動機載置台９を介して原動機１２を搭載し、カバー本体１０の下方には原動機１２の駆動により回転する耕耘刃４０を設けている。左右側枠１、２の前後端には車輪２４を設けている。前後車輪２４間に於ける左右側枠１、２には内側ガイド板４１と外側ガイド板４２を取付けている。外側ガイド板４２は内方に付勢する弾性板４３を具備している。【選択図】　　　　図７
2004041166.tif 000002
【特許請求の範囲】
【請求項１】
床枠を地面より高い位置にて連続して設け、この床枠内に栽培用土壌を充填してなる高設式栽培床の前記床枠の長手方向に沿って移動しながら前記栽培用土壌を耕耘するための高設式栽培床用耕耘機において、
前記床枠のうち左右側壁上端面上を長手方向に沿って車輪が回転移動可能に、枠組みされた移動台車に前記床枠の対向する左右側壁離隔距離と同一距離左右に離隔した左右対の車輪を少なくとも２対前後に離隔して設け、該対の車輪のうち前後車輪間には前記各側壁を内外ガイド板間に夫々位置させるように形成した対のガイド板を設け、前記移動台車の下方には前記栽培用土壌を耕耘する耕耘装置を設け、前記移動台車には前記耕耘装置を駆動する原動機を搭載して構成されたことを特徴とする高設式栽培床用耕耘機。
【請求項２】
上記外側ガイド板には、内側面に内方に付勢する弾性板を備えたことを特徴とする請求項１記載の高設式栽培床用耕耘機。
【請求項３】
上記耕耘装置が、刃先が交互に斜め内外側方を向く刃を有する耕耘刃を、駆動ケースを中心として耕耘軸に左右対称に設け、前記駆動ケースを移動台車の枠組み内に於いて左右方向に位置移動可能に構成してなることを特徴とする請求項１又は２記載の高設式栽培床用耕耘機。
【請求項４】
上記移動台車には、耕耘装置に向けて水を射出可能に、射水装置を具備してなることを特徴とする請求項１、２又は３記載の高設式栽培床用耕耘機。
【発明の詳細な説明】
【０００１】
【発明の属する技術分野】
本発明は、地面より高い位置で農作業可能な高設栽培床の栽培用土壌を耕耘するための高設式栽培床用耕耘機に関する。
【０００２】
【従来の技術】
旧来、農作物は地面に作付けして栽培していた。そのため、作業者はかがむか若しくは中腰等の膝や腰に負担のかかる低姿勢で農作業を行わなければならず、特に、高齢の作業者にとっては極めて過酷な労働になっているのが現状である。そこで、近年、地面より高い位置に栽培床を配設し、作業者が立位の状態で農作業が可能な高設栽培床が開発され定着しつつある。これは、一般に発泡スチロール等の合成樹脂を材料とし内側に縦断面Ｕ字形の上面を開口した深溝を設け、一方向に著しく長い床枠を長手方向に連続的に接続して取付け、内側の溝内に充填した栽培用土壌に、例えば苺等の植物を作付けし育成させようとするものである。
しかしながら、上記高設式栽培床は、栽培床の管理、例えば栽培用土壌の耕耘作業は作業者が立位でスコップ等の農具を用いて手作業で行っていたため、作業性が悪く、作業者の労力の負担はさほど軽減されないという問題点があった。
そこで、上記問題点を解決するために高設式栽培床の耕耘作業を手作業に代えて機械で行う高設式栽培床の耕耘装置として特開２００１−３５２８０１号公報記載の発明が提案されている。特開２００１−３５２８０１号公報記載の発明は、栽培床を跨いで長手方向に走行移動する移動台車に、正面視が直刃で側面視が前進回転方向に対して後退角を有させて形成した耕耘刃を備えた耕耘装置とこの耕耘装置を駆動する原動機を搭載し、車輪が地面上を回転しながら耕耘作業をするように構成されている。
【０００３】
【発明が解決しようとする課題】
上記従来例の特開２００１−３５２８０１号公報記載の発明は、高設式栽培床の耕耘作業を手作業ではなく機械で行うことが可能になったという画期的な効果はあるものの、支持リンクが高設式栽培床の左右外側方に位置し、台車が高設式栽培床を跨いだ状態で使用するため、車輪を備えた支持リンクが邪魔をして栽培床の床枠長手方向中途部分で方向転換をすることができず、方向転換をする場合は栽培床の終端を通過し台車下方に栽培床が存在しなくなったことを確認後、耕耘装置を１８０°転回しなければならないという問題点があった。また、耕耘刃が側面視後退角を有する形状に形成されているため、一方向に前進している場合にのみ耕耘が可能で、栽培床の中途部位で台車を前進方向とは逆の後退方向に移動させても耕耘不可能であり、同一栽培床を繰り返し耕耘する場合は台車を栽培床の前後いずれか一端を通過移動させた後、台車を転回させて再び栽培床を跨いで栽培床の床枠長手方向に沿って移動させなければならず、耕耘装置の操作を簡便に行うことができないという問題点があった。
又、耕耘刃が正面視直刃に形成されているため、栽培用土壌のうち耕耘刃に対応する部位のみが耕耘可能で、耕耘刃間に対応する部位は耕耘不可能であり、栽培用土壌を均一に耕耘できないという問題点があった。
そこで、本発明は従来技術の有する問題点に鑑みて創案されたもので、移動台車に栽培床の対向する左右床枠上を回転して移動台車を移動させる車輪と移動台車に原動機とこの原動機の駆動により耕耘作業をする耕耘装置と、落輪を防止させるためのガイド板を設けることにより、床枠上から落輪することなく安定的に栽培床上を移動可能にし、又、耕耘刃の位置移動を可能にすることにより耕耘残しのない高設式栽培床用耕耘機を提供することを目的とする。
【０００４】
【課題を解決するための手段】
上記目的を達成するために本願発明のうち請求項１記載の発明は、床枠を地面より高い位置にて連続して設け、この床枠内に栽培用土壌を充填してなる高設式栽培床の前記床枠の長手方向に沿って移動しながら前記栽培用土壌を耕耘するための高設式栽培床用耕耘機において、前記床枠のうち左右側壁上端面上を長手方向に沿って車輪が回転移動可能に、枠組みされた移動台車に前記床枠の対向する左右側壁離隔距離と同一距離左右に離隔した左右対の車輪を少なくとも２対前後に離隔して設け、該対の車輪のうち前後車輪間には前記各側壁を内外ガイド板間に夫々位置させるように形成した対のガイド板を設け、前記移動台車の下方には前記栽培用土壌を耕耘する耕耘装置を設け、前記移動台車には前記耕耘装置を駆動する原動機を搭載して構成されたことを特徴とする。
請求項２記載の発明は、外側ガイド板には、内側面に内方に付勢する弾性板を備えたことを特徴とする。
請求項３記載の発明は、耕耘装置が、刃先が交互に斜め内外側方を向く刃を有する耕耘刃を、駆動ケースを中心として耕耘軸に左右対称に設け、前記駆動ケースを移動台車の枠組み内に於いて左右方向に位置移動可能に構成してなることを特徴とする。
請求項４記載の発明は、移動台車には、耕耘装置に向けて水を射出可能に、射水装置を具備してなることを特徴とする。
【０００５】
【発明の実施の形態】
以下、図を参照にして本発明の実施例について説明する。
【実施例１】
図１は前側泥除けを一部切欠した高設式栽培床用耕耘機の正面図、図２は外側ガイド板を一部切欠した高設式栽培床用耕耘機の右側面図、図３は使用状態を示す説明図である。
これらの図において、水平方向に所定距離離隔し互い平行な１対の左右側枠１、２の前後両端に、左右側枠１、２と９０°の角度をなして前後側枠３を取付け、平視方形状のフレームを形成している。前後側枠３には、平坦な上面を有する
2004041166.tif 000003
けている。取付板４には、例えば螺棒よりなる支持棒６を横方向に所定距離離隔すると共に前後対向する位置に左右前後対となるように立設している。前後対向する２対の支持棒６間には締着具７等にて上下方向の位置調整が可能に２本の取付杆８が左右に並列して架設されている。この２本の並設された取付杆８の前後方向略中央位置には、原動機載置台９を取付けている。原動機載置台９の下側には防錆性材料、例えばステンレス鋼板等を材料とするカバー本体１０が取付けられている。カバー本体１０は原動機載置台９に取付けるための平坦な取付部と、この取付部の前後に形成された下向きのアール状部とより構成されている。カバー本体１０の前後両端には防水性及び可撓性を有する材料、例えばゴム性薄片よりなる泥除け１１を垂下させて取付けている。
原動機１２の下面には、駆動ケース１３を連設している。駆動ケース１３の内部には、原動機１２の回転を耕耘軸１４に減速若しくは変速して伝達するための歯車やチェーン等が内装されている。原動機１２は、駆動ケース１３が原動機載置台９及びカバー本体１０を貫通してカバー本体１０の下方内側に位置するように原動機載置台９上に搭載されている。
駆動ケース１３の前部には、掘削爪１５を支持する支持アーム１６が取付けられている。掘削爪１５は偏平面が前後方向に沿うように支持アーム１６に取付けられており、下端後側は切り欠いて下端前側を尖鋭に形成し地表面を掘削するようにしている。耕耘軸１４には耕耘刃１７、１８が固定的に取付けられ、耕耘刃１７、１８は耕耘軸１４と同期回転するように構成されている。耕耘刃１７は刃先が交互に斜め内外側方を向く刃を有するフライス状に形成され、駆動ケース１３を中心として左右に設けられている２枚の耕耘刃１７は、刃先が内向する刃が互いに対向して位置するように耕耘軸１４に固定的に取付けられている。耕耘刃１８は刃先が内側方を向く刃を有するフライス状に形成されている。掘削爪１５の下端と耕耘刃１７、１８の軌跡下端は略同一位置となるように構成されている。
左側枠１の前端にはエンジンスイッチ１９とブレーキレバー２０を有するハンドル２１を、後端にはハンドル２１と共に把持して移動させるためのハンドル２２を取付けている。右側枠２の前後端には把手２３を取付けている。左右側枠１、２の前後端下方には、前後方向に回転する車輪２４を設けている。
内側ガイド板２５と外側ガイド板２６は、ガイド板２５、２６間に床枠２７の左右側壁２７ａが位置可能に左右に所定距離離隔して左右側枠１、２に夫々取付けられている。２８は射水装置であって、送水パイプの管壁に多数の射水孔が穿設され、耕耘刃１７、１８に後方から水を射水可能に形成している。
【０００６】
次に作用について説明する。図３中に一点鎖線で示すように高設式栽培床は、左右１対の支柱２９間に横杆３０を架け渡して固着し、横杆３０上に上面を開口した溝を内側に有し、例えば発泡スチロール等よりなる床枠２７を連続して一方向に長く接続し、溝内には栽培用土壌３１を充填して形成している。車輪２４が左右側壁２７ａの上端面上を回転するように耕耘機を床枠２７上に載置し、エンジンスイッチ１９をオンにすると、原動機１２は駆動し、耕耘軸１４は回転し、耕耘刃１７、１８も耕耘軸１４と同期回転する。作業者が両手でハンドル２１、２２を把持し、車輪２４が左右側壁２７ａの上端面上を回転するように床枠２７の長手方向に沿って耕耘機を前進させると、掘削爪１５で耕耘刃１７の内向する刃間の栽培用土壌３１を掘削し、耕耘刃１７、１８で耕耘する。耕耘した栽培用土壌３１は、射水装置２８からの射出する水により散水も同時に行われる。内外ガイド板２５、２６間に側壁２７ａが位置しているため、耕耘機の前進中若しくは停止中であっても脱輪せず、耕耘機は床枠２７上に安定的に位置する。栽培床の長手方向中途位置に於いて転回する場合は、ハンドル２１、２２又は／及び把手２３を把持して僅かばかり持上げ、車輪２４を前回と反対側の側壁２７ａの上端面上に配置する。ガイド板２５、２６の下端縁は車輪２４の下端より僅かばかり下方に突出しているので、容易に耕耘機は転回することができる。
【０００７】
【実施例２】
図４〜図６を参照にして本発明の実施例について説明する。説明を簡単にするために、図１〜図３と同様の作用をなす部分は同一符号で説明する。外側ガイド板２６の外側方に弾性板３２を備えたガイド板３３を着脱自在に取付けている。図４に示すように、ガイド板３３は、水平な取付部３４とこの取付部３４と垂直な弾性板取付部３５とより構成されている。取付部３４には側方に延びる条孔３６が互いに平行に穿設されており、左右側枠１、２上面に取付部３４を重合し、条孔３６に取付具３７を貫通してガイド板３３を左右側枠１、２に取付けている。条孔３６の所望位置にて取付具３７を貫通締着することにより、ガイド板３３の位置調整を行うようにしている。弾性板取付部３５の下部には、内方に付勢する２枚の弾性板３２が取付けられている。他の構成は、前述の図１〜図３に示される実施例と同様であるので、説明を省略する。
このように弾性板３２を下部に備えたガイド板３３を、弾性板３２が外側ガイド板２６の下方に位置するように左右側枠１、２に取付けると、種々の高設式栽培床上を移動することが可能になる。例えば、図３中に一点鎖線で示す床枠２７、横杆３０及び支柱２９よりなる高設式栽培床であって、床枠２７上端が支柱２９上端よりも低位置に形成されている部分を移動する場合は、車輪２４が床枠２７の左右側枠２７ａより浮き上がり弾性板３２で支柱２９を内側方に押圧した状態でハンドル２１、２２を把持し前進方向に移動させて通過することができる。
【０００８】
【実施例３】
図７〜図１２を参照にして本発明の実施例について説明する。耕耘軸１４には交互に内外側方を向く刃を有する１対のフライス状耕耘刃４０を耕耘軸１４と同期回転するように取付けている。左右側枠１、２の内側には内側ガイド板４１が取付けられている。内側ガイド板４１には切り込み４７を設けて耕耘軸１４が切り込み４７を出入可能に形成し、駆動ケース１３と共に耕耘軸１４び耕耘刃４０が左右方向へ位置移動可能にしている。左右側枠１、２の外側に外側ガイド板４２を取付けている。外側ガイド板４２の内面には内方に付勢する弾性板４３を設けている。他の構成は前述の図１〜図３に示される実施例と同様である。
次に作用について説明する。本実施例の耕耘機は図１０に示される高設式栽培床上を栽培用土壌を耕耘しながら移動することが可能である。先ず、高設式栽培床は、吊管３８、支柱４４、横杆４５により枠組みされ、吊管３８に布等の可撓性薄片よりなる有底栽培容器３９を留め具４６で脱落しないように固定し、有底栽培容器３９内に栽培用土壌３１を入れて形成されている。
エンジンスイッチ１９をオンにし耕耘刃４０を回転させながら、車輪２４を吊管３８上で回転させ耕耘機を吊管３８に沿って移動させる。吊管３８は耕耘機の重量により内側方へ撓むが、弾性板４３の内方への付勢する弾性復元力により、吊管３８は内側ガイド板４１と弾性板４３とに挟持され、耕耘機は落輪することなく吊管３８に沿って移動する。
又、取付具５の脱着により、図１２中で一点鎖線で示すように掘削爪１５が左右側枠１、２間の中心に位置しないように原動機１２を取付板４と共に左右方向に移動させて前後側枠３に取付け、前述と同様に高設式栽培床上を長手方向に沿って往復移動させると、耕耘刃４０の内向刃と掘削爪１５との間の往路のみの移動では耕耘できない部分を復路の移動で耕耘でき、栽培用土壌３１を完全に耕耘可能である。
【０００９】
又、以上の実施例においては、弾性板を板ばねを図示して説明したが、本発明は板ばねに限定するものではなく、内方に付勢する弾性を有する構造のものであれば、すべて本願発明に含まれるものである。
【００１０】
【発明の効果】
本発明は高設式栽培床の床枠や吊管上を落輪することなく移動でき、栽培床の中途部位に於いても極めて容易に転回できるという効果がある。
弾性板を有する外側ガイド板を設けることにより、吊管の外側方へ横杆の突出している交叉部に於いても落輪することなく栽培床上を安定して移動できるという効果がある。
原動機を左右動可能にし、往復移動により耕耘残し部分の無いように耕耘することが可能になったという効果がある。
【図面の簡単な説明】
【図１】前側泥除けを一部切欠した正面図である。
【図２】外側ガイド板を一部切欠した図１の右側面図である。
【図３】使用状態を示す正面図である。
【図４】ガイド板の斜視図である。
【図５】高設式栽培床用耕耘機にガイド板の取付け状態を示す前側泥除けを一部切欠した正面図である。
【図６】図５の右側面図である。
【図７】前車輪と前側泥除けを省略した正面図である。
【図８】図７の背面図である。
【図９】裏面斜視図である。
【図１０】吊管を用いた高設式栽培床を示す説明図である。
【図１１】使用状態を示す正面図である。
【図１２】耕耘装置の左右方向に位置移動させた状態を示す説明図である。
【符号の説明】
１２　原動機
１３　駆動ケース
１４　耕耘軸
１７、１８、４０　耕耘刃
２４　車輪
２５、２６、３３、４１、４２　ガイド板
２７　床枠
２７ａ　側壁
２８　射水装置
３１　栽培用土壌
３２、４３　弾性板
３８　吊管
３９　有底栽培容器
【図１】
2004041166.tif 000004
【図２】
2004041166.tif 000005
【図３】
2004041166.tif 000006
【図４】
2004041166.tif 000007
【図５】
2004041166.tif 000008
【図６】
2004041166.tif 000009
【図７】
2004041166.tif 000010
【図８】
2004041166.tif 000011
【図９】
2004041166.tif 000012
【図１０】
2004041166.tif 000013
【図１１】
2004041166.tif 000014
【図１２】
2004041166.tif 000015